(57)【要約】    【課題】  記憶媒体からスロット内のコネクタへと続くデータ伝送経路を簡素化し、データ伝送の信頼性を向上させることを可能とした変換アダプタを提供する。    【解決手段】  コネクタ１０１ｂを有する第１の記憶媒体１０１を、該第１の記憶媒体１０１とはサイズの異なる第２の記憶媒体用のスロットに装着するために第１の記憶媒体１０１のサイズを変換する変換アダプタ５０１であって、第１の記憶媒体１０１のコネクタ１０１ｂと前記スロット内のコネクタとが直接接続されるように第１の記憶媒体１０１を収容する収容部５０１ｂと、第１の記憶媒体１０１が収容部５０１ｂに収容された状態で第１の記憶媒体１０１を固定するロック部材５０１ｇとを有する。【選択図】      図６
2005301604.tif 000002
【特許請求の範囲】
【請求項１】
コネクタを有する第１の記憶媒体を、前記第１の記憶媒体とはサイズの異なる第２の記憶媒体用のスロットに装着するために前記第１の記憶媒体のサイズを変換する変換アダプタであって、
前記第１の記憶媒体のコネクタと前記スロット内のコネクタとが直接接続されるように前記第１の記憶媒体を収容する収容部と、
前記第１の記憶媒体が前記収容部に収容された状態で前記第１の記憶媒体を固定する固定部材とを有することを特徴とする変換アダプタ。
【請求項２】
前記固定部材は、前記第１の記憶媒体に形成される切り欠き部に嵌合するロック部材であることを特徴とする請求項１に記載の変換アダプタ。
【請求項３】
前記固定部材は、前記第１の記憶媒体の側面に形成される凹部に嵌合するロック部材であることを特徴とする請求項１に記載の変換アダプタ。
【請求項４】
前記ロック部材は、前記変換アダプタを前記第２の記憶媒体用スロットに装着する際の装着方向と直交する方向に移動可能であることを特徴とする請求項２または３に記載の変換アダプタ。
【請求項５】
前記ロック部材は、前記変換アダプタを前記第２の記憶媒体用スロットに装着する際の装着方向と直交する方向に回動可能であることを特徴とする請求項２または３に記載の変換アダプタ。
【請求項６】
前記収容部は、前記変換アダプタを前記第２の記憶媒体用スロットに装着する際の装着方向前部に位置して設けられていることを特徴とする請求項１に記載の変換アダプタ。
【発明の詳細な説明】
【技術分野】
【０００１】
本発明は、記憶媒体を規格の異なるスロットに装着して使用するためにサイズ等を変換する変換アダプタに関する。
【背景技術】
【０００２】
近年、半導体記憶媒体、磁気記憶媒体、光ディスク記憶媒体等の記憶媒体が爆発的に普及し、その種類も多様化の一途を辿っている。
【０００３】
このような記憶媒体は、通常、電子機器の記憶媒体専用スロットに装着して使用されるが、上述したように記憶媒体の種類が多様化している中、異なる規格の記憶媒体専用スロットに装着して使用できるようにするための変換アダプタ等を用いて、異なる規格の記憶媒体相互間での使い回しを可能とし、記憶媒体を使用する際の汎用性を高めたいという要望が高まっている。
【０００４】
従来、ＰＣカード用スロット（記憶媒体）に装着することができないＣＦカード（記憶媒体）を、ＣＦカード用ＰＣＭＣＩＡアダプタを用いて、前記ＰＣカード用スロットに装着可能とするものが知られている(例えば、特許文献１参照)。
【０００５】
図１０は、特許文献１のＣＦカード用ＰＣＭＣＩＡアダプタの構成を示す斜視図であり、同図において、１００１はＣＦカードで、その側面にはコネクタ１００１ａが設けられている。１００２はＰＣＭＣＩＡアダプタ（以下、変換アダプタと記述する。）で、ＣＦカード１００１を収容する収容部１００２ａを有する。この収容部１００２ａには、ＣＦカード１００１のコネクタ１００１ａと嵌合して電気的に接続するための第１のコネクタ１００２ｂを有する。そして、ＣＦカード１００１が収容部１００２ａに完全に収容されると、ＣＦカード１００１のコネクタ１００１ａとアダプタ１００２の第１のコネクタ１００２ｂとが互いに嵌合して、電気的に接続状態となるものである。
【０００６】
変換アダプタ１００２の収容部１００２ａと反対側には、ＰＣカードインタフェースに対応した第２のコネクタ１００２ｃが設けられている。そして、第１のコネクタ１００２ｂと第２のコネクタ１００２ｃとは、内部回路を介して電気的に接続されている。そのため、変換アダプタ１００２の収容部１００２ａに収容されたＣＦカード１００１は、第２のコネクタ１００２ｃにより外部と接続できるようになる。例えば、ＣＦカード用スロットが無く、ＰＣカード用スロットのみを有するノート型パソコン（パーソナルコンピュータ）でＣＦカード１００１を使用したい場合等は、前述したように、ＣＦカード１００１を変換アダプタ１００２の収容部１００２ａに収容し、ＰＣカード用スロットに装着して直接使用することが可能となる。
【０００７】
以上のように、記憶媒体を、変換アダプタ１００２等を用いて、他の記憶媒体との差分形状を補い、他の記憶媒体専用スロット等に装着可能としているものが多く存在する。
【特許文献１】特開平１１−２５１０１９号公報
【発明の開示】
【発明が解決しようとする課題】
【０００８】
しかしながら、近年、ＨＤＤ（ハードディスクドライブ）のインタフェースがパラレルからシリアルに移行しつつある。
【０００９】
従来のパラレル通信では、データ伝送速度はシリアルに比べて遥かに遅く、変換アダプタ等の中間介在物が存在しても、中間介在物内回路のインピーダンス整合等をあまり考慮せずにデータ伝送を行うことができていた。
【００１０】
しかしながら、シリアル通信においては、１Ｇｂ／ｓ以上の高速データ伝送を行うため、データ伝送回路のインピーダンス整合等を考慮しなければ、正しくデータが伝送できないようになってきている。
【００１１】
このような背景において、図１０に示したような従来の変換アダプタ１００２では、ＣＦカード１００１が、ＣＦインタフェースとＰＣカードインタフェースとを電気的に結合するための電気回路（図示しない。）及び第１のコネクタ１００２ｂ、第２のコネクタ１００２ｃ類を介して電子機器等と電気的接続を行うため、コネクタの接点等の物理的接合部や回路パターン等からノイズが乗り、データ伝送の信頼性が著しく低下するという問題があった。
【００１２】
また、１Ｇｂ／ｓ以上の高速データ転送を行う際に必須であるインピーダンス整合が非常に困難であるという問題もあった。
【００１３】
本発明は、上述したような従来技術の有する問題を解決するためになされたもので、その目的は、記憶媒体からスロット内のコネクタへと続くデータ伝送経路を簡素化し、データ伝送の信頼性を向上させることを可能とした変換アダプタを提供することである。
【課題を解決するための手段】
【００１４】
上記目的を達成するため、本発明の変換アダプタは、コネクタを有する第１の記憶媒体を、前記第１の記憶媒体とはサイズの異なる第２の記憶媒体用のスロットに装着するために前記第１の記憶媒体のサイズを変換する変換アダプタであって、前記第１の記憶媒体のコネクタと前記スロット内のコネクタとが直接接続されるように前記第１の記憶媒体を収容する収容部と、前記第１の記憶媒体が前記収容部に収容された状態で前記第１の記憶媒体を固定する固定部材とを有することを特徴とする。
【発明の効果】
【００１５】
本発明によれば、第１の記憶媒体を収容した変換アダプタを第２の記憶媒体用スロットに装着した時、前記第１の記憶媒体の有するコネクタが前記第２の記憶媒体用スロット内のコネクタと電気的に接続状態となり、中間に介在するインタフェース変換回路が不要になるので、構成の簡素化が図れる。そして、固定部材により前記第１の記憶媒体が前記収容部に収容された状態で固定されるので、変換アダプタを第２の記憶媒体用スロットから取り外す際に、第１の記憶媒体と変換アダプタとの結合が外れてしまい、第２の記憶媒体用スロットの中に第１の記憶媒体だけが取り残されてしまうことがない。
【発明を実施するための最良の形態】
【００１６】
以下、本発明の変換アダプタの実施の形態について、図面を参照して説明する。
【００１７】
本発明の特徴は、コネクタを有する第１の記憶媒体を、前記第１の記憶媒体とはサイズの異なる第２の記憶媒体用のスロットに装着するために前記第１の記憶媒体のサイズを変換する変換アダプタであって、前記第１の記憶媒体のコネクタと前記スロット内のコネクタとが直接接続されるように前記第１の記憶媒体を収容する収容部と、前記第１の記憶媒体が前記収容部に収容された状態で前記第１の記憶媒体を固定する固定部材とを有することである。
【００１８】
また、本発明の特徴は、前記固定部材が、前記第１の記憶媒体に形成される切り欠き部に嵌合するロック部材であることである。
【００１９】
また、本発明の特徴は、前記固定部材が、前記第１の記憶媒体の側面に形成される凹部に嵌合するロック部材であることである。
【００２０】
また、本発明の特徴は、前記ロック部材が、前記変換アダプタを前記第２の記憶媒体用スロットに装着する際の装着方向と直交する方向に移動可能であることである。
【００２１】
また、本発明の特徴は、前記ロック部材が、前記変換アダプタを前記第２の記憶媒体用スロットに装着する際の装着方向と直交する方向に回動可能であることである。
【００２２】
更に、本発明の特徴は、前記収容部が、前記変換アダプタを前記第２の記憶媒体用スロットに装着する際の装着方向前部に位置して設けられていることである
（第１の実施の形態）
まず、第１の実施の形態について、図１乃至図７に基づき説明する。
【００２３】
図１は、本実施の形態に係る変換アダプタに着脱可能に収容される第１の記憶媒体及びこの第１の記憶媒体よりサイズの大きい第２の記憶媒体の構成を示す斜視図であり、同図において、１０１は第１の記憶媒体、１０２は第２の記憶媒体である。
【００２４】
第１の記憶媒体１０１は、平面四角形状の筐体１０１ａを有している。この筐体１０１ａの前面中央部には、コネクタ１０１ｂを有している。また、筐体１０１ａの外部両側面には、ガイド溝１０１ｃ，１０１ｄを有している。更に、筐体１０１ａの外部両側面中央位置には、ロック溝（切り欠き部、凹部）１０１ｅ，１０１ｆを有している。
【００２５】
また、第２の記憶媒体１０２は、第１の記憶媒体１０１の筐体１０１ａより大きな平面四角形状の筐体１０２ａを有している。この筐体１０２ａの前面中央部には、コネクタ１０２ｂを有している。また、筐体１０２ａの両側面には、ガイド溝１０２ｃ，１０２ｄを有している。
【００２６】
第１の記憶媒体１０１のコネクタ１０１ｂ及び第２の記憶媒体１０２のコネクタ１０２ｂは、互いに同一構成で、電子機器（図示しない。）等に備えられたコネクタと着脱可能に嵌合して、電気的に接続状態となる。
【００２７】
第１及び第２の記憶媒体１０１，１０２の内部には、ハードディスク（図示しない）を有しており、ＰＣ（パーソナルコンピュータ）等の電子機器とコネクタ１０１ｂ，１０２ｂを介して電気的接続を行い、データの授受を行うことができるように構成されている。
【００２８】
次に、第２の記憶媒体１０２を着脱可能に装着し得る電子機器について、図２を用いて説明する。
【００２９】
図２は、第２の記憶媒体１０２及び該第２の記憶媒体１０２を着脱可能に装着し得る電子機器の構成を示す斜視図であり、同図において、図１と同一部分には同一符号が付してある。
【００３０】
図２において、２０１は電子機器で、平面四角形状の筐体２０１ａを有している。この筐体２０１ａは、第２の記憶媒体用スロット（以下、スロットと記述する。）２０１ｂを有し、このスロット２０１ｂは、その前面に開口部２０１ｃを有している。そして、この開口部２０１ｃから第２の記憶媒体１０２を図中矢印Ａ，Ｂ方向に沿ってスライドさせることにより、スロット２０１ｂに対して第２の記憶媒体１０２を着脱可能に装着することができるようになっている。
【００３１】
また、筐体２０１ａの内部両側面には、ガイドレール２０１ｄ，２０１ｅを有している。そして、開口部２０１ｃから第２の記憶媒体１０２を図中矢印Ａ，Ｂ方向に沿ってスライドさせた際に、電子機器２０１のガイドレール２０１ｄ，２０１ｅが、それぞれ第２の記憶媒体１０２のガイド溝１０２ｃ，１０２ｄを案内し、第２の記憶媒体１０２が電子機器２０１のスロット２０１ｂ内を正しく移動するように規制する。
【００３２】
従って、第２の記憶媒体１０２のガイド溝１０２ｃ，１０２ｄは被規制手段を、また、電子機器２０１のガイドレール２０１ｄ，２０１ｅは規制手段を、それぞれ構成している。
【００３３】
また、電子機器２０１の筐体２０１ａの底面内部には、スロット２０１ｂ内に位置してコネクタ２０１ｆと基板２０１ｇを有している。このコネクタ２０１ｆは、基板２０１ｇ上に電気的結合を保って実装されており、第２の記憶媒体１０２のコネクタ１０２ｂと電子機器２０１のスロット２０１ｂ内のコネクタ２０１ｆとが嵌合することにより、基板２０１ｇと第２の記憶媒体１０２とが電気的に接続される。
【００３４】
第２の記憶媒体１０２は、スロット２０１ｂへの装着方向、つまり、図中矢印Ａ方向の前面中央部にコネクタ１０２ｂを有している。そして、第２の記憶媒体１０２が電子機器２０１のスロット２０１ｂ内に正しく装着されると、電子機器２０１のスロット２０１ｂ内のコネクタ２０１ｆと第２の記憶媒体１０２のコネクタ１０２ｂとが嵌合して、電気的に接続状態となる。
【００３５】
次に、第１の記憶媒体１０１を着脱可能に装着することができる電子機器について、図３を用いて説明する。
【００３６】
図３は、第１の記憶媒体１０１及び該第１の記憶媒体１０１を着脱可能に装着し得る電子機器の構成を示す斜視図であり、同図において、図１と同一部分には同一符号が付してある。
【００３７】
図３において、３０１は電子機器で、平面四角形状の筐体３０１ａを有している。この筐体３０１ａの前面中央部には、前面が開口する第１の記憶媒体用スロット（以下、スロットと記述する。）３０１ｂを有している。そして、開口部から第１の記憶媒体１０１を図中矢印Ｃ，Ｄ方向に沿ってスライドさせることにより、スロット３０１ｂに対して第１の記憶媒体１０１を着脱可能に装着することができるようになっている。
【００３８】
また、スロット３０１ｂの内部両側面には、ガイドレール３０１ｃ，３０１ｄが設けられている。そして、第１の記憶媒体１０１を図中矢印Ｃ，Ｄ方向に沿ってスライドさせた際に、電子機器３０１のガイドレール３０１ｃ，３０１ｄが、それぞれ第１の記憶媒体１０１のガイド溝１０１ｃ，１０１ｄを案内し、第１の記憶媒体１０１が電子機器３０１のスロット３０１ｂ内を正しく移動するように規制する。
【００３９】
スロット３０１ｂの内部奥にはコネクタ３０１ｅが設けられている。そして、第１の記憶媒体１０１がスロット３０１ｂの内部所定位置まで挿入されると、第１の記憶媒体１０１のコネクタ１０１ｂ（図１参照）がスロット３０１ｂの内部のコネクタ３０１ｅと嵌合し、第１の記憶媒体１０１と電子機器３０１との電気的接続が行われて、データの授受が可能となる。
【００４０】
電子機器３０１のスロット３０１ｂの間口及び第１の記憶媒体１０１のガイド溝１０１ｃ，１０１ｄの付近の厚さ方向の長さは、ａ＞ａ’＞ｂ＞ｂ’という関係になっており、第１の記憶媒体１０１が上下を逆にしてスロット３０１ｂに装着されるのを防いでいる。
【００４１】
また、第１の記憶媒体１０１の前方より後方に伸びるガイド溝１０１ｃ，１０１ｄが途中で切れているため、誤って第１の記憶媒体１０１が後ろ向きになってスロット３０１ｂの内部に挿入された際に、スロット３０１ｂのガイドレール３０１ｃ，３０１ｄの先端面が第１の記憶媒体１０１の筐体１０１ａの後面Ａに当たり、スロット３０１ｂ内に第１の記憶媒体１０１が挿入されないようになっている。
【００４２】
次に、第１の記憶媒体１０１をスロット３０１ｂ内に装着した状態にロックするためのロック機構について、図４を用いて説明する。
【００４３】
図４は、第１の記憶媒体１０１をスロット３０１ｂ内に装着した状態にロックするためロック機構の構成を示す斜視図であり、同図において、説明に不必要な部分は省略した。
【００４４】
図４に示すように、スロット３０１ｂ内には、第１の記憶媒体１０１の離脱を防止するためのロック部材（固定部材）４０１が設けられている。このロック部材４０１は、回転軸４０１ａを中心に回転可能となっており、図示しない付勢手段で図４の左方向に不勢されている。そのため、図４（ａ）のように、第１の記憶媒体１０１がＣ方向に進行すると、ロック部材４０１が第１の記憶媒体１０１の一部に押されて右方向に回転し、図４（ｂ）のように、ロック部材４０１が側面に接しながら進む。その後、ロック部材４０１が第１の記憶媒体１０１の筐体１０１ａのロック溝１０１ｆの位置まで来ると、前記付勢手段の作用により、ロック部材４０１がこのロック溝１０１ｆに係合する。
【００４５】
このように、ロック部材４０１がロック溝１０１ｆに係合することにより、スロット３０１ｂ内に装着した第１の記憶媒体１０１が不用意にＤ方向へ移動してスロット３０１ｂの外方へ離脱するのを防止することができる。
【００４６】
図３及び図４で説明したように、第１の記憶媒体１０１は、そのガイド溝１０１ｃ，１０１ｄによってスロット３０１ｂ内への誤挿入を防止し、ロック溝１０１ｅ，１０１ｆによって、第１の記憶媒体１０１がスロット３０１ｂから離脱するのを防ぐことができるようになっている。
【００４７】
次に、本実施の形態に係る変換アダプタについて、図５を用いて説明する。
【００４８】
図５は、本実施の形態に係る変換アダプタ及び第２の記憶媒体１０２の構成を示す斜視図であり、同図において、図１と同一部分には同一符号が付してある。
【００４９】
図５において、５０１は本実施の形態に係る変換アダプタ（以下、アダプタと記述する。）で、平面四角形状の筐体５０１aを有しており、この筐体５０１ａは、図２に示す第２の記憶媒体１０２の筐体１０２ａと同じ外形寸法となっている。アダプタ５０１は、第２の記憶媒体１０２が余裕をもって入る大きさの収容部５０１ｂを有している。この収容部５０１ｂは、平面コ字形状をなしており、その内部一側面には、凸部５０１ｃが設けられている。また、収容部５０１ｂの内部他側面には、ボス５０１ｄ，５０１ｅによって、矢印Ｅ，Ｆ方向に可動にガイドされ且つ矢印Ｅ方向に付勢されたロック部材５０１ｇが設けられている。このロック部材５０１ｇは摘み５０１ｈを有し、この摘み５０１ｈを摘んでロック部材５０１ｇを矢印Ｅ，Ｆ方向にスライドさせることができる。また、筐体５０１ａの外部両側面には、ガイド溝５０１ｊ，５０１ｋが設けられている。これらのガイド溝５０１ｊ，５０１ｋは、電子機器２０１のスロット２０１ｂの内部両側のガイドレール３０１ｃ，３０１ｄに係合するようになっている。
【００５０】
ロック部材５０１ｇを矢印Ｆ方向にスライドさせた状態で第１の記憶媒体１０１を収容部５０１ｂ内に収容した後に、摘み５０１ｈから指を放すと、ロック部材５０１ｇが第１の記憶媒体１０１の筐体１０１ａのガイド溝１０１ｃ及びロック溝１０１ｆに係合し、第１の記憶媒体１０１を矢印Ｅ方向に押圧する。押圧された第１の記憶媒体１０１は矢印Ｅ方向に移動し、凸部５０１ｃがガイド溝１０１ｃ及びロック溝１０１ｅに係合する。そして、やがて、凸部５０１ｃとガイド溝１０１ｃ及びロック溝１０１ｅが接する位置で第１の記憶媒体１０１の動きが停止し、第１の記憶媒体１０１の収容部５０１ｂ内への収容が完了する。
【００５１】
ロック部材５０１ｇは略Ｔ字形状をしており、第１の記憶媒体１０１の筐体１０１ａのガイド溝１０１ｃ及びロック溝１０１ｅの双方に係合し、凸部５０１ｃを押圧して、該凸部５０１ｃとロック部材５０１ｇとの間で第１の記憶媒体１０１を挟み込むことにより、第１の記憶媒体１０１がアダプタ５０１から離脱しないように規制する。また、同時に第１の記憶媒体１０１及びコネクタ１０１ｂがアダプタ５０１の所定の位置に収容されるように位置決めも行っている。
【００５２】
図６は、収容部５０１ｂ内への第１の記憶媒体１０１の収容が完了した状態を示す斜視図である。
【００５３】
図６に示すように、第１の記憶媒体１０１がアダプタ５０１の収容部５０１ｂ内に収容された状態で、第１の記憶媒体１０１のコネクタ１０１ｂの位置は、図１で示したコネクタ１０１ｂの位置と外形に対する相対的位置が同じになるように設定されている。
【００５４】
図７は、第１の記憶媒体１０１を収納したアダプタ５０１を電子機器２０１に装着した状態を示す斜視図である。
【００５５】
アダプタ５０１を電子機器２０１の第２の記憶媒体用スロット２０１ｂ内に装着時に、アダプタ５０１の筐体５０１ａのガイド溝５０１ｊ，５０１ｋが、電子機器２０１のスロット２０１ｂ内のガイドレール２０１ｄ，２０１ｅに係合してガイドされる。
【００５６】
アダプタ５０１の収容部５０１ｂ内に収容された第１の記憶媒体１０１のコネクタ１０１ｂが所定の位置に配置されているため、第１の記憶媒体１０１を装着したアダプタ５０１を電子機器２０１の第２の記憶媒体用スロット２０１ｂ内に挿入すると、第１の記憶媒体１０１のコネクタ１０１ｂと電子機器２０１のコネクタ２０１ｆとが嵌合し、基板２０１ｇと第１の記憶媒体１０１とが電気的に接続される。第１の記憶媒体１０１を電子機器２０１のスロット２０１ｂから離脱する際は、アダプタ５０１の側面を掴み、スロット２０１ｂの外方へ引き抜くものである。
【００５７】
このとき、第１の記憶媒体１０１は、図６で示したように、凸部５０１ｃとロック部材５０１ｇとによって挟まれ、前後左右方向に対して変位しないように固定されているため、アダプタ５０１より離脱することはない。
【００５８】
以上のように、本実施の形態に係るアダプタ５０１によれば、そのアダプタ５０１を使用して第１の記憶媒体１０１を電子機器２０１の第２の記憶媒体用スロット２０１内に装着する場合であっても、第１の記憶媒体１０１のコネクタ１０１ｂが第２の記憶媒体用スロット２０１内のコネクタ２０１ｆと直接嵌合し、電気的接続を行うため、データ伝送経路の構成がシンプルになる。
【００５９】
また、アダプタ５０１内に第１の記憶媒体１０１のコネクタ１０１ｂと第２の記憶媒体用スロット２０１内のコネクタ２０１ｆとのインタフェースを変換するための中間介在回路が不要となるため、高速データ伝送の信頼性が向上する。
【００６０】
また、従来の技術における中間介在回路が不要となるため、コストを低減することができる。
【００６１】
（第２の実施の形態）
次に、第２の実施の形態について、図８及び図９を用いて説明する。
【００６２】
図８は、本実施の形態に係る変換アダプタ及び第２の記憶媒体の構成を示す斜視図であり、同図において、上述した第１の実施の形態の図１と同一部分には同一符号が付してある。
【００６３】
図８において、８０１は本実施の形態に係る変換アダプタ（以下、アダプタと記述する。）で、平面四角形状の筐体８０１を有している。この筐体８０１aには、第１の記憶媒体１０１が余裕を持って収容できる収容部８０１ｂが設けられている。この収容部８０１ｂには、軸８０１ｃによって回転可能に支持された蓋８０１ｄが設けられている。この蓋８０１ｄは、収容した第１の記憶媒体１０１が上方向に離脱しないように規制を行う。また、蓋８０１ｄには、収容した第１の記憶媒体１０１のロック溝１０１ｅ，１０１ｆに係合して第１の記憶媒体１０１の位置を決めるためのボス８０１ｅ，８０１ｆが設けられている。また、蓋８０１ｄは、自身の位置を規制するための穴８０１ｇ，８０１ｈを有し、蓋８０１ｄが閉口方向に倒れると、収容部８０１ｂの両側に配置されたボス８０１ｊ，８０１ｋが穴８０１ｇ，８０１ｈにそれぞれ係合し、蓋８０１ｄが所定の位置にセットされるようになっている。また、蓋８０１ｄには、ビス止め用の穴８０１ｍ，８０１ｎが設けられている。また、収容部８０１ｂの両側にもビス止め用の穴８０１ｏ，８０１ｐが設けられている。更に、筐体８０１ａの外部両側面には、ガイド溝８０１ｑ，８０１ｒが設けられている。これらのガイド溝８０１ｑ，８０１ｒは、電子機器２０１のスロット２０１ｂの内部両側のガイドレール３０１ｃ，３０１ｄに係合するようになっている。
【００６４】
図９は、アダプタ８０１に第１の記憶媒体１０１を収容した状態を示す斜視図である。
【００６５】
図９に示すように、蓋８０１ｄが閉口すると、該蓋８０１ｄの穴８８０１ｇ，８０１ｈにボス８０１ｊ，８０１ｋがそれぞれ係合し、蓋８０１ｄが位置決めされる。また、蓋８０１ｄは、ビス９０１ａ，９０１ｂにてアダプタ８０１に固定される。
【００６６】
この状態で、蓋８０１ｄの下面は、第１の記憶媒体１０１の上面に接し、第１の記憶媒体１０１が上下方向に動かないように規制される。また、第１の記憶媒体１０１の下面は、収容部８０１ｂ（図８参照）の上面と接し、第１の記憶媒体１０１及びコネクタ１０１ｂは、所定の高さに位置する。
【００６７】
更に、図８で示した蓋８０１ｄのボス８０１ｍ，８０１ｎが第１の記憶媒体１０１の筐体１０１ａのロック溝１０１ｅ，１０１ｆに係合することにより、第１の記憶媒体１０１は、前後左右方向に動かないように規制されると共に、アダプタ８０１の所定の位置に第１の記憶媒体１０１及びコネクタ１０２ｂが位置するようになっている。
【００６８】
本実施の形態に係るアダプタ８０１の筐体８０１ａは、上述した第１の実施の形態における図１で示した第２の記憶媒体１０２の筐体１０２ａと同じ外形寸法であり、コネクタが配置される場所も、第１の記憶媒体１０１のコネクタ１０１ｂと同じ位置にある。
【００６９】
従って、本実施の形態に係るアダプタ８０１は、図７に示す電子機器５０１のスロット５０１ｂ内に、上記第１の実施の形態と同様に、着脱可能に装着することにより、第１の記憶媒体１０１のコネクタ１０１ｂと電子機器２０１のコネクタ２０１ｆとが電気的に接続状態となるものである。
【００７０】
本実施の形態に係るアダプタ８０１においても、上述した第１の実施の形態と同様の効果を奏するものである。
【図面の簡単な説明】
【００７１】
【図１】第１の実施の形態に係る変換アダプタに挿入して使用される第１の記憶媒体及びこの第１の記憶媒体より大きなサイズの第２の記憶媒体の構成を示す斜視図である。
【図２】第１の実施の形態に係る変換アダプタに挿入して使用される記憶媒体及び電子機器の構成を示す斜視図である。
【図３】第１の実施の形態に係る変換アダプタに挿入して使用される記憶媒体及び電子機器の構成を示す斜視図である。
【図４】第１の実施の形態に係る変換アダプタに挿入して使用される記憶媒体及びロック部材の構成を示す斜視図である。
【図５】第１の実施の形態に係る変換アダプタに第２の憶媒体を収容する寸前の状態を示す斜視図である。
【図６】第１の実施の形態に係る変換アダプタに第２の記憶媒体を収容した状態を示す斜視図である。
【図７】図６に示す状態の第１の実施の形態に係る変換アダプタを電子機器に装着した状態を示す斜視図である。
【図８】第２の実施の形態に係る変換アダプタに第２の記憶媒体を収容する寸前の状態を示す斜視図である。
【図９】第２の実施の形態に係る変換アダプタに第２の記憶媒体を収容した状態を示す記憶媒体及び変換アダプタの斜視図である。
【図１０】従来の変換アダプタと記憶媒体の構成を示す斜視図である。
【符号の説明】
【００７２】
１０１      第１の記憶媒体
１０１ａ    筐体
１０１ｂ    コネクタ
１０１ｃ    ガイド溝
１０１ｄ    ガイド溝
１０２      第２の記憶媒体
１０２ａ    筐体
１０２ｂ    コネクタ
１０２ｃ    ガイド溝
１０２ｄ    ガイド溝
１０２ｅ    ロック溝
１０２ｆ    ロック溝
２０１      電子機器
２０１ａ    筐体
２０１ｂ    第２の記憶媒体用スロット
２０１ｃ    開口部
２０１ｄ    ガイドレール
２０１ｅ    ガイドレール
２０１ｆ    コネクタ
２０１ｇ    基板
３０１      電子機器
３０１ａ    筐体
３０１ｂ    第２の記憶媒体用スロット
３０１ｃ    ガイドレール
３０１ｄ    ガイドレール
３０１ｅ    コネクタ
４０１      ロック部材
４０１ａ    軸
５０１      変換アダプタ
５０１ａ    筐体
５０１ｂ    収容部
５０１ｃ    凸部
５０１ｄ    ボス
５０１ｅ    ボス
５０１ｇ    ロック部材
５０１ｈ  摘み
５０１ｊ  ガイド溝
５０１ｋ  ガイド溝
８０１    変換アダプタ
８０１ａ    筐体
８０１ｂ    収容部
８０１ｃ    軸
８０１ｄ    蓋
８０１ｅ    ボス
８０１ｆ    ボス
８０１ｇ    穴
８０１ｈ    穴
８０１ｊ    ボス
８０１ｋ    ボス
８０１ｍ    ビス止め用の穴
８０１ｎ    ビス止め用の穴
８０１ｏ    ビス止め用の穴
８０１ｐ    ビス止め用の穴
【図１】
2005301604.tif 000003
【図２】
2005301604.tif 000004
【図３】
2005301604.tif 000005
【図４】
2005301604.tif 000006
【図５】
2005301604.tif 000007
【図６】
2005301604.tif 000008
【図７】
2005301604.tif 000009
【図８】
2005301604.tif 000010
【図９】
2005301604.tif 000011
【図１０】
2005301604.tif 000012